【手続補正書】
【提出日】平成16年9月10日(2004.9.10)
【手続補正１】
【補正対象書類名】明細書
【補正対象項目名】発明の名称
【補正方法】変更
【補正の内容】
【発明の名称】釣竿用駆動装置及び釣具などの保持具
【手続補正２】
【補正対象書類名】明細書
【補正対象項目名】特許請求の範囲
【補正方法】変更
【補正の内容】
【特許請求の範囲】
【請求項１】
モータと、該モータを駆動する電源と、該電源と上記モータとの接続をオンオフするスイッチと、上記モータにより回転駆動される回転体と、該回転体の回転により往復揺動移動する往復移動部材と、該往復移動部材に設けられた釣竿保持部とを備えたことを特徴とする釣竿用駆動装置。
【請求項２】
基台上に、前記モータと、電源と、スイッチと、回転体と、往復移動部材とを設け、更に上記基台上に上記モータの回転を減速して上記回転体に伝達する減速輪列機構を設け、上記基台を所定位置にセットしたときに、上記回転体の回転軸心が水平方向となり、上記往復移動部材は上下方向に往復移動することを特徴とする請求項１に記載の釣竿用駆動装置。
【請求項３】
前記回転体の回転駆動部を設け、前記往復移動部材を前記基台に揺動可能に取り付けると共に、上記往復移動部材に上記回転駆動部と係合する係合面を設け、上記回転体が回転することにより上記回転駆動部が回転し、上記回転駆動部と係合する係合面を介して上記往復移動部材が上下方向に往復移動することを特徴とする請求項２に記載の釣竿用駆動装置。
【請求項４】
前記往復移動部材の前記係合面であって、前記回転体の前記回転駆動部との当接面に上記回転駆動部と一時的に衝合する衝合部を設けたことを特徴とする請求項３に記載の釣竿用駆動装置。
【請求項５】
前記回転体の前記回転駆動部は、上記回転体の偏心位置に設けたピンであり、前記往復移動部材の前記係合面は、上記ピンと係合する長孔であり、上記回転体が回転することにより上記ピンが回転し、上記ピンと係合する長孔を介して上記往復移動部材が上下方向に往復移動することを特徴とする請求項３に記載の釣竿用駆動装置。
【請求項６】
前記往復移動部材の長孔であって、前記回転体のピンとの当接面に上記ピンと一時的に衝合する衝合部を設けたことを特徴とする請求項５に記載の釣竿用駆助装置。
【請求項７】
前記電源は乾電池であり、前記基台は長尺状に形成され、その長尺状の基台上に、前記モータと、電源となる電池と、スイッチと、回転体と、往復移動部材とを、片手で把持できる筒状に配置したことを特徴とする請求項１に記載の釣竿用駆動装置。
【請求項８】
前記長尺状の基台上に配置された、前記モータと、電池と、回転体と、往復移動部材とをケースで覆うように構成し、上記ケースは、その一部が上記長尺状の基台方向に伸びる筒状部に形成され、上記筒状部が、片手で把持できる保持部に形成されていることを特徴とする請求項７に記載の釣竿用駆動装置。
【請求項９】
前記長尺状の基台を載置する載置用フレームと、該載置用フレームに取り付けられた他の箇所への取付部を有してなる基台保持用部材とを備えたことを特徴とする請求項７に記載の釣竿用駆動装置。
【請求項１０】
前記基台保持用部材は、少なくとも１軸の回動軸を備えたことを特徴とする請求項９に記載の釣竿用駆動装置。
【請求項１１】
前記基台保持用部材は、直交する２軸の回動軸を備えたことを特徴とする請求項１０に記載の釣竿用駆動装置。
【請求項１２】
前記回転体と前記往復移動部材との係合部に、前記往復移動部材の往復移動に一時的な衝合動作を与える衝合部を設けたことを特徴とする請求項１に記載の釣竿用駆動装置。
【請求項１３】
対向する一対の側板と、
この両側板を連結する天板を有する断面コ字状のクランク部材と、
上記側板の一方に螺合して取付けられた固定ネジと、
上記天板に設けた環状の軸受部材と、
この軸受部材に嵌合する支軸を有する釣具などのホルダー部材とを備え、
上記軸受部材は上記側板に対し直交する平面内で上記ホルダー部材を回動自在に支持するように上記天板に取付けられていることを特徴とする釣具などの保持具。
【手続補正３】
【補正対象書類名】明細書
【補正対象項目名】００２７
【補正方法】変更
【補正の内容】
【００２７】
図４は、上述の駆動装置を搭載した基台１を保持する保持具を示す側面図である。この保持具は基台１を取り付けるホルダー部材３１とクランク部材３２と、該クランク部材３２に設けられホルダー部材３１を揺動自在に軸承する軸受部材３５とから構成されている。
【手続補正４】
【補正対象書類名】明細書
【補正対象項目名】００２８
【補正方法】変更
【補正の内容】
【００２８】
図４において、ホルダー部材３１の左右方向（前後方向）には、金属板により弾性を有するように形成された本釣竿用駆動装置を保持するための弾性保持部３３が取り付けられており、本釣竿用駆動装置の前側ケース２３と後側ケース２４とをそれぞれ弾性保持部３３にはめ込めば、釣竿用駆動装置をホルダー部材３１により保持させることができるようになっている。
【手続補正５】
【補正対象書類名】明細書
【補正対象項目名】００２９
【補正方法】変更
【補正の内容】
【００２９】
ホルダー部材３１には支軸３４が設けられ、この支軸３４がクランク部材３２に回動自在に支持され図４Ｘ方向に回動できるようになっている。クランク部材３２は間隔を隔てて対向する一対の側板とこの両側板を連結する天板を有するコ字状の部材で構成されている。そしてこの天板には側板と平行な方向に環状の軸受部材が取り付けてあり、この軸受部材３５に上記ホルダー部材３１の支軸３４が嵌合支持される。従ってホルダー部材３１はその支軸３４をクランク部材３２で支持され、このクランク部材３２は適宜の構造物（船の縁など）に固定される。
そしてこの状態でホルダー部材３１はクランク部材３２の側板に対し直交する方向に揺動自在となり、ホルダー部材３１に釣竿を固定した場合には水面に対し上下方向に好適な高さ位置に竿を保持することが出来る。同様にホルダー部材３１に双眼鏡を固定する場合にも水面に対し上下方向で、例えば浮き具に合わせた高さ位置に双眼鏡を保持することが可能となる。また軸受部材３５は図示Ｙ軸を中心にクランク部材３２の天板に回動自在に設けることも可能であり、この場合は天板に円形孔を設け、軸受部材３５に一体に設けた円板部３６をこの円形孔に回動自在に嵌合すれば良い。また、クランク部材３２には、固定用の進退可能なネジ部３７が取り付けられており、ネジ部３７を進退させることによって、船の縁部や別個に設けられた取付台等の他の個所４０に固定することができる。
【手続補正６】
【補正対象書類名】明細書
【補正対象項目名】００３０
【補正方法】変更
【補正の内容】
【００３０】
図６はホルダー部材３１をロッド状に形成した場合の参考図である。図４のものと同一の構成であり、ホルダー部材３１に取り付けた載置台５０には双眼鏡などの釣用具を取り付けることが出来る。図示５１は支軸３４を固定するネジである。このように、本釣竿用駆動装置を載置することのできる基台保持用部材３０は、支軸３４を中心とする回動軸と、円板部３６を中心とする回動軸との、直交する２軸の回動軸を備えていることになるから、クランク部材３２により船の縁部や取付台等の他の箇所４０に固定した状態で、円板部３６を中心として回動させて水平方向の向きを調節し、或いは支軸３４を中心として回動させることにより、釣竿の上下方向の向きを調節し、本釣竿用駆動装置をホルダー部材３１に保持させた時の水平方向及び垂直方向の向きを自由に可変することができる。そして、このセットされた状態で、オンオフスイッチ１４をオンすれば、モータ２を駆動させて釣竿２０を上下に繰り返し揺動させることができる。
【手続補正７】
【補正対象書類名】明細書
【補正対象項目名】図面の簡単な説明
【補正方法】変更
【補正の内容】
【図面の簡単な説明】
【図１】  本発明の実施形態に係る釣竿用駆動装置の側面図である。
【図２】  図１に示す釣竿用駆動装置の平面図である。
【図３】  本発明の実施形態に係る釣竿用駆動装置に釣竿を取り付けた状態を示す側面図である。
【図４】  本釣竿用駆動装置に適用される基台保持用部材を示す側面図である。
【図５】  本釣竿用駆動装置の要部を説明するための側面部である。
【図６】 図４の保持具の使用状態の参考図である。
【手続補正８】
【補正対象書類名】図面
【補正対象項目名】図６
【補正方法】追加
【補正の内容】
【図６】
2004357625.tif 000001